(57)【特許請求の範囲】
【請求項１】
上下方向に張設された弦を離鍵状態で押圧し、鍵の押下に伴って前記弦から離れるダンパーヘッドを有するアップライトピアノのアクションであって、
前記弦に対し前記ダンパーヘッドが設けられる側に位置する第１支点を介して回動自在に支持されるとともに、前記鍵の押下に伴って前記第１支点より前記弦側の部分が下降する方向に回動するウイペンと、
前記第１支点よりも上側に位置する第２支点を介して回動自在に支持され、上端部に前記ダンパーヘッドが連結されたダンパーレバーと、
前記ウイペンの前記弦側に設けられ、前記鍵がストロークのレスト位置とエンド位置との間の第１位置まで押下されたときに前記ダンパーレバーのうち前記第２支点よりも下側の第１部分に接触する第１スプーン部と、該鍵が前記第１位置からさらに深い第２位置まで押下されたときに前記ダンパーレバーのうち前記第２支点よりも下側であって前記第１部分よりも上側の第２部分に接触する第２スプーン部とを有するダンパースプーンと、
を具備することを特徴とするアップライトピアノのアクション。
【請求項２】
前記ダンパースプーンは、
前記第１スプーン部と第２スプーン部とを、それぞれ前記ダンパーレバーに向けてそれぞれ凸とした形状のブロックである
ことを特徴とする請求項１に記載のアップライトピアノのアクション。
【請求項３】
前記ダンパースプーンは、
前記第１スプーン部と第２スプーン部とを、それぞれ別体として前記ウイペンに取り付けた構造である
ことを特徴とする請求項１に記載のアップライトピアノのアクション。
【請求項４】
前記ウイペンに対して回動自在に取り付けられ、初期位置にあるときに前記鍵の押下に伴って前記弦を打撃する方向にハンマーの回動を付勢するジャックを有し、
前記鍵の押下に伴って前記第２スプーン部が前記第２部分に接触したとき、前記ジャックが脱進開始位置となる
ことを特徴とする請求項１たは２に記載のアップライトピアノのアクション。
【発明の詳細な説明】
【技術分野】
【０００１】
本発明は、アップライトピアノのアクションに関し、特に、鍵の押下にしたがって弦から徐々に離間するダンパーに関する。
【背景技術】
【０００２】
一般にアップライトピアノにおいては、離鍵状態でダンパーヘッドがダンパースプリング等の付勢力によって弦を抑えている。鍵が押下されるにしたがってダンパーヘッドは、弦から徐々に離間する方向に回動し、これによって弦の振動が許容され、この後、ハンマーによって弦が打撃されることによって発音がなされる。一方、離鍵にしたがってダンパーヘッドは、弦に接近する方向に回動し、ついには弦を抑えて、これによって消音がなされる。アップライトピアノでは、押鍵の際に、ダンパーレバースプリング等による反力が鍵を介して演奏者に伝達されるので、鍵を押下するにつれて反力が増すという、「ばねっぽい」タッチ感を演奏者に与えてしまう。
このため、ダンパーレバーのうち、ダンパーヘッドとは反対側（下側）に、ダンパーヘッドを弦側に回動させる方向のモーメントをダンパーレバーに与えて、「ばねっぽい」タッチ感を低減させる技術が提案されている（特許文献１参照）。
【先行技術文献】
【特許文献】
【０００３】
【特許文献１】特開２００８−９０１６８号公報（特に図２、図３参照）
【発明の概要】
【発明が解決しようとする課題】
【０００４】
ところで、例えばグランドピアノのタッチ等に近づけるようにダンパーヘッドを弦側に回動させる方向のモーメントを、ダンパーレバーに与えるためには、例えば重りを演奏者から見てダンパーレバーの奥側に延設するように設ける必要がある。しかしながら、ダンパーレバーの奥側には弦が上下方向に張設されている上に、ダンパーレバーの下側は、ダンパーヘッドとは反対に、押鍵に伴って弦に接近する方向に回動する。このため、ダンパーレバーの下方側からピアノ奥側に向かう方向には、空間的に余裕がないので、大きな重りを設けるなどができない。したがって、上記技術では、タッチ感の改善が困難な場合が往々にしてある、という欠点があった。
本発明は、このような事情に鑑みてなされたもので、その目的の１つは、より簡易な構成によって、離鍵状態からのタッチ感を改善することが可能なアップライトピアノのダンパー装置を提供することにある。
【課題を解決するための手段】
【０００５】
上記目的を達成するために、本発明に係るアップライトピアノのアクションにあっては、上下方向に張設された弦を離鍵状態で押圧し、鍵の押下に伴って前記弦から離れるダンパーヘッドを有するアップライトピアノのアクションであって、前記弦に対し前記ダンパーヘッドが設けられる側に位置する第１支点を介して回動自在に支持されるとともに、前記鍵の押下に伴って前記第１支点より前記弦側の部分が下降する方向に回動するウイペンと、前記第１支点よりも上側に位置する第２支点を介して回動自在に支持され、上端部に前記ダンパーヘッドが連結されたダンパーレバーと、前記ウイペンの前記弦側に設けられ、前記鍵がストロークのレスト位置とエンド位置との間の第１位置まで押下されたときに前記ダンパーレバーのうち前記第２支点よりも下側の第１部分に接触する第１スプーン部と、該鍵が前記第１位置からさらに深い第２位置まで押下されたときに前記ダンパーレバーのうち前記第２支点よりも下側であって前記第１部分よりも上側の第２部分に接触する第２スプーン部とを有するダンパースプーンと、を具備することを特徴とする。本発明によれば、鍵の押下に伴ってダンパースプーンが、ダンパーレバーの第１部分に接触し、この後、鍵の押下が進行したとき、第１部分から第２部分に接触が移行する。ダンパーレバーの回動点である第２支点から第１部分までの距離は、第２部分までの距離よりも大きいので、ダンパーレバーの与えるモーメントを大きくすることができる。このため、押下した当初の鍵からの反力を小さくすることが可能となる。
【０００６】
本発明において、前記ダンパースプーンは、前記第１スプーン部と第２スプーン部とを、それぞれ前記ダンパーレバーに向けてそれぞれ凸とした形状のブロックとした一体物の構成としても良いし、前記第１スプーン部と第２スプーン部とを、それぞれ前記ウイペンに取り付けて別体の構成としてもよい。
また、本発明において、前記ウイペンに対して回動自在に取り付けられ、初期位置にあるときに前記鍵の押下に伴って前記弦を打撃する方向にハンマーの回動を付勢するジャックを有し、前記鍵の押下に伴って前記第２スプーン部が前記第２部分に接触したとき、前記ジャックが脱進開始位置となる構成としても良い。このように構成すると、ジャックが脱進し始めるときに、鍵の反力が小さい状態から大きくなる状態に変化するので、ジャックの脱進を演奏者が感じ取りやすくなる。
【図面の簡単な説明】
【０００７】
【図１】実施形態に係るダンパー装置を含むアクションを示す図である。
【図２】ハンマーアクションの要部斜視図である。
【図３】ハンマーアクションにおけるダンパーレバーを示す斜視図である。
【図４】ダンパー等の動作を示す図である。
【図５】ダンパー等の動作を示す図である。
【図６】ダンパー等の動作を示す図である。
【図７】ダンパー等の動作を示す図である。
【図８】ダンパースプーンとダンパーレバーとの位置関係を示す図である。
【図９】鍵を押下する際における鍵の深さと鍵荷重との関係を示す図である。
【図１０】変形例に係るハンマーアクションの要部斜視図である。
【図１１】従来例に係るハンマーアクションの要部斜視図である。
【発明を実施するための形態】
【０００８】
以下、図面を参照しながら、本発明に係る一実施形態について説明する。
図１は、実施形態に係るアップライトピアノのアクション１の構成について、離鍵状態で示す左側面図である。なお、この説明では、アップライトピアノを演奏者側からみたときを正面としている。このため、便宜的にアップライトピアノの演奏者側を「手前側」とし、その反対側を「奥側」と称している。図１では、右側が手前側となり、左側が奥側となる。また、回動等の動作方向についても紙面でみたときの向きで表している。
【０００９】
図１に示されるように、鍵２は、バランスピン３によって筬４に対し揺動自在に支持されるとともに、右側の演奏者によって押下される。なお、鍵２は、実際には紙面の表裏方向にわたって８８個並設されるが、図１等では、１つの鍵２のみが示されている。
一方、アップライトピアノにおいて、鍵２の奥側には、弦Ｓが図において上下方向に張設されている。この弦Ｓと鍵２との間に、鍵２の押下にしたがってハンマーヘッド３３に弦Ｓを打撃させたり、鍵２の状態に応じてダンパー４０に弦Ｓを抑えたり、解放したりするためのアクション１が設けられている。なお、アクション１は、鍵２ごとに設けられるが、図１では、鍵２の１つ分のみが示されている。
【００１０】
センターレール１０は、紙面の表裏方向にわたって、すなわち８８個の鍵が並設する方向にわたって延在する固定部材である。一方、鍵２の奥側上面には、キャプスタン２ａが立設されている。キャプスタン２ａの上端部は、ウイペンヒール２２の下面（ヒールクロス）に当接しており、このウイペンヒール２２の上端部にはウイペン２０が、センターレール１０に固定されたウイペンフレンジ１２のピン１２ａ（第１支点）に対し回動自在に支持されている。換言すれば、ウイペン２０は、鍵２の並設方向に延びる軸線の回りに回動自在に支持されている。
ウイペン２０において、回動軸であるピン１２ａよりも手前側には、上方に向けて突出するジャックフレンジ２４が固定され、ジャックフレンジ２４の上端部には、ほぼ長手部分と短手部分とでＬ字形状をなすように屈曲したジャック２６が、その屈曲部でピン２４ａを中心に回動自在に支持されている。ただし、ジャック２６は、ジャックスプリング２８によって図において反時計回りの方向に付勢されている。
【００１１】
ジャック２６の長手部分における上端は、バット３０の湾曲部に当接している。バット３０は、センターレール１０における演奏者側上端部のバットフレンジ１４のピン１４ａに対して回動自在となっている。バット３０には、ハンマーシャンク３２とキャッチャーシャンク３４とが互いに直交するように取り付けられている。
このうち、ハンマーシャンク３２の先端部には、回動によって弦Ｓを打撃するハンマーヘッド３３が取り付けられる一方、キャッチャーシャンク３４の先端部には、キャッチャー３５が取り付けられている。
ウイペン２０において、ピン１４ａの手前側端部には、弦Ｓの打撃直後にキャッチャー３５を咬持するためのバックチェック３６が取り付けられている。一方、ウイペン２０の奥側端部には、後述する形状のブロックからなるダンパースプーン３８が取り付けられている。
【００１２】
センターレール１０には、奥側に向かう方向にダンパーフレンジ１６が取り付けられ、このダンパーフレンジ１６を介してダンパー４０が設けられている。詳細には、ダンパー４０は、長手方向を上下方向に向けたダンパーレバー４２と、ダンパーレバー４２に連結されたダンパーヘッド４４とを含む。ダンパーレバー４２は、ダンパーフレンジ１６のピン１６ａ（第２支点）に対し回動自在に、すなわち、ウイペン２０と同様に鍵２の並設方向に延びる軸線の回りに回動自在に支持されている。ただし、ダンパーレバー４２は、ダンパーレバースプリング４５によって図において反時計回りの方向に付勢されている。ダンパーレバー４２の上端には、ダンパーワイヤー４６を介してダンパーヘッド４４が取り付けられている。
【００１３】
図２は、ダンパースプーン３８を含むウイペン２０の周辺構成について、アップライトピアノの右奥側からみたときの斜視図である。
この図に示されるように、ダンパースプーン３８は、ウイペン２０の奥側端部に固定されている。ダンパースプーン３８は、ピアノ奥側に突出する２つの凸面を組合わせた形状であり、このうち、下側に位置する凸面部分が第１スプーン部３８ａであり、上側に位置する凸面部分が第２スプーン部３８ｂである。
ここで、第１スプーン部３８ａの頂点は、第２スプーン部３８ｂの頂点よりも奥側に向かって突出している。また、ピン１２ａからみた回動半径は、第１スプーン部３８ａの頂点の方が、第２スプーン部３８ｂの頂点よりも小さい。また、離鍵状態において第１スプーン部３８ａおよび第２スプーン部３８ｂは、いずれもダンパーレバー４２（図２では省略）に非接触の位置関係にある。
【００１４】
図３（ａ）は、ダンパー４０について、アップライトピアノの左奥側からみたときの斜視図である。
この図および図１に示されるように、ダンパーレバー４２は、下側部分の手前側（図３において紙面裏側）の面には、奥側（紙面表側）に一段薄くなるような段差が設けられている。そして、この段差よりも下側の薄肉部分にクロスが貼られており、この部分が面４８ａ（第１部分）となっている。また、該段差よりも上側の厚肉部分にもクロスが貼られており、この部分が面４８ｂ（第２部分）となっている。
このようなダンパー４０は、簡易的には例えば図３（ｂ）に示されるように、ダンパーレバー４２の薄肉部分にクロスを貼った薄板５０を接着して、ダンパーレバー４２の下側を延長するように構成される。
なお、薄板５０を接着・延長するのではなく、ダンパーレバー４２を、薄板５０を接着した形状となるように当初から形成してもよい。
【００１５】
次に、押鍵時において、鍵２がレスト位置からエンド位置（フルストローク位置）までに至る過程のアクション１の動作について説明する。図４乃至図７の各々は、アクション１の状態についてレスト位置、止音位置、脱進開始位置、およびエンド位置のそれぞれに対応して示す図であり、図８は、各鍵位置において、特にダンパースプーン３８とダンパーレバー４２との位置関係を示す図である。
【００１６】
まず、鍵２をまったく押下していない状態、すなわち図４で示されるように、鍵２がレスト位置にある状態では、アクション１は、図１の状態と同じである。また、図８（１）に示されるように、レスト位置では、第１スプーン部３８ａおよび第２スプーン部３８ｂのいずれも、ダンパーレバー４２の面４８ａ、４８ｂに接触していない。
離鍵状態において、鍵２がレスト位置から徐々に押下されたとき、キャプスタン２ａの突き上げによって、ウイペン２０がピン１２ａを中心に反時計回りで、すなわちウイペン２０における奥側の端部が下降する方向に回動する。このため、押鍵の進行にともなって、図８（２）に示されるように、まず、第１スプーン部３８ａがダンパーレバー４２の下側における面４８ａに接触して、第１スプーン部３８ａが面４８ａを押し込む。これにより、ダンパーレバー４２がダンパーレバースプリング４５による弾性力に抗して時計回りに回動し始める。このときの弾性力（反力）は、ウイペン２０、キャプスタン２ａおよび鍵２を介して演奏者に伝達される。
【００１７】
図５は、ダンパーレバー４２の回動して、ダンパーヘッド４４が弦Ｓに、わずかに触れた状態を示している。したがって、押鍵過程では、該状態からダンパーヘッド４４による離弦が開始し、弦Ｓの振動が許容し始める。一方、離鍵過程では、該状態からダンパーヘッド４４による接弦が開始するので、この状態が、鍵２の止音位置となる。
【００１８】
押鍵過程においてキャプスタン２ａの突き上げによってウイペン２０が反時計回りに回動したときに、ジャック２６が上方に移動して、バット３０が、ピン１４を中心に反時計回りに回動する。押鍵がさらに進行すると、図６に示されるように、ジャック２６の短手部分がセンターレール１０に連結されたストッパ１０ｂに当接する。
ジャック２６の短手部分がストッパ１０ｂに当接すると、以後、ウイペン２０の時計回りの回動に対し、ジャック２６は、上方移動からピン２４ａを中心にして時計回りの回動に転じて、バット３０からの脱進を開始する。したがって、図６に示されるように、押鍵過程においてジャック２６の短手部分がストッパ１０ｂに当接する鍵２の位置が、脱進開始位置となる。
【００１９】
ところで、第１スプーン部３８ａの回動半径、すなわちピン１２ａからの距離は、第２スプーン部３８ｂの回動半径よりも小さい。このため、押鍵当初では、第１スプーン部３８ａが面４８ａに接触するが、止音位置から押鍵が進行したときに、やがて第２スプーン部３８ｂも面４８ｂに接触する。
本実施形態では、図８（３）に示されるように、脱進開始位置において、第１スプーン部３８ａが面４８ａに、第２スプーン部３８ｂが面４８ｂに、それぞれ接触する状態となるように、ダンパースプーン３８の形状および取付位置が規定されている。
【００２０】
脱進開始位置から押鍵がさらに進行すると、図８（４）に示されるように、回動半径が小である第１スプーン部３８ａが面４８ａを押し込むよりも先に、回動半径が大である第２スプーン部３８ｂが面４８ｂを押し込むことになる。したがって、鍵２が脱進開始位置からさらに押下されると、第１スプーン部３８ａが面４８ａから非接触となるが、代わりに第２スプーン部３８ｂが面４８ｂから接触して、ダンパーレバー４２を回動させることになる。
一方、脱進開始位置からジャック２６が時計回りに回動し始めると、まもなくバット３０から脱進するとともに、バット３０の回動にしたがってハンマーヘッド３３が弦Ｓを打撃する。これにより弦Ｓが振動してピアノ音が発生する。図７は、鍵２がエンド位置の直前において、ハンマーヘッド３３が弦Ｓを打撃した瞬間を示している。
ハンマーヘッド３３が弦Ｓを打撃した反動で初期位置に復帰する際に、キャッチャー３５がバックチェック３６によって弾性的に受け止められる。
【００２１】
なお、ピアノ音の発生後、押し込まれた鍵２が徐々に戻るとき、すなわち離鍵の進行にともなって、押下時とは逆に、ウイペン２０が時計回りに回動するので、ダンパーレバー４２がダンパーレバースプリング４５による弾性力で反時計回りに回動し、ダンパーヘッド４４が弦Ｓに当接するとともにこれを押圧する。これによって、弦Ｓの振動およびピアノ音が停止する。
一方、ウイペン２０が時計回りに回動すると、キャッチャー３５が解放されるとともに、ジャック２６が下方に移動する。このため、ジャック２６の長手部分の先端は、ジャックスプリング２８によって反時計回りに回動し、バッド３０の湾曲部に滑り込んでバットフェルト３０ａに当接する初期位置まで戻る。これにより、次に鍵２が押下されたときの準備がなされることになる。
【００２２】
図９は、押鍵過程において鍵２の押下量に対して必要な鍵荷重（反力）の特性について、従来のアップライトピアノと比較して示す図である。この図において、押下量については、レスト位置のときを０ｍｍとし、完全に押し込んだエンド位置のときを１０ｍｍとしている。
なお、従来のアップライトピアノでは、図１１に示されるように、第２スプーン部３８ｂに相当する位置に、ボウル（へこみ）の部分を奥側に向けて立設させたスプーン３８ｄを備えるとともに、本実施形態における止音位置よりやや浅い押鍵深さの位置で、該スプーン３８ｄが面４８ｂに接触する構成である。また、従来のアップライトピアノでは、図３（ｂ）において、ダンパーレバー４２に薄板５０を接着しない、すなわち下部を延長していない構成である。
【００２３】
従来のアップライトピアノにおける反力の特性は、図９において破線で示される。このような特性となる理由は、概略すると、次の通りである。
すなわち、第１に、従来のアップライトピアノでは、押鍵過程においてレスト位置からスプーン３８ｄが面４８ｂに接触するまで、ダンパーレバースプリング４５による弾性力が発生しないので、キャプスタン２ａがウイペン２０を持ち上げる重力的な加重が鍵２に反力として現れる。このため、押鍵過程においてレスト位置からスプーン３８ｄが面４８ｂに接触するまで、鍵２の反力は、ほぼ一定である。第２に、押鍵過程においてスプーン３８ｄが面４８ｂに接触すると、ダンパーレバースプリング４５による押鍵量に応じた弾性力が加わるので、鍵２の反力は、脱進開始位置となるまで、ほぼリニアに増加する。第３に、押鍵過程において脱進開始位置になると、ジャック２６の脱進に要する荷重も加わるので、鍵２の反力はさらに増加する。ジャック２６が脱進すると、バット３０の突き上げに要していた荷重が抜けるので、その分、鍵２の反力は一時的に低下するが、その後、バックチェック３６の受け止めや、該バックチェック３６などにおけるフェルトへのめり込み等が発生するため、鍵２の反力は、エンド位置まで急激に増加する。
【００２４】
これに対して、本実施形態における反力の特性は、図９において実線で示される。
本実施形態でも、押鍵過程においてレスト位置から第１スプーン部３８ａが面４８ａに接触するまで、鍵２の反力がほぼ一定である点について従来のアップライトピアノと同様である。
ここで、本実施形態では、第１スプーン部３８ａが接触する面４８ａは、面４８ｂよりも下側にある。換言すると、回動軸であるピン１６ａからの距離でみたときに、面４８ａの回動半径は、面４８ｂの回動半径よりも大である。一方、ピン１２ａからの距離でみたときに、第１スプーン部３８ａの回動半径は、第２スプーン部３８ｂの回動半径よりも小である。
このとき、図８に示されるように、ピン１６ａから、面４８ａにおいて第１スプーン部３８ａが接触する部分までの半径（軌跡）をＲ２１とし、面４８ｂにおいて第２スプーン部３８ｂが接触する部分までの半径をＲ１１とし、ピン１２ａから、第１スプーン部３８ａが面４８ａに接触する部分までの半径をＲ２２とし、第２スプーン部３８ｂが接触する部分までの半径をＲ１２とする。本実施形態では、Ｒ２１／Ｒ２２が、Ｒ１１／Ｒ１２よりも大きくなるように、すなわち、面４８ａにおける接触点の回動半径Ｒ２２に対する回動半径Ｒ２１の比率が、面４８ｂにおける接触点の回動半径Ｒ１２に対する回動半径Ｒ２１の比率よりも大きくなるように規定されている。
このため、第１スプーン部３８ａによってダンパーレバー４２を回動させるのに要する荷重は、第２スプーン部３８ｂによってダンパーレバー４２を回動させるのに要する荷重よりも小さく抑えることができる。したがって、本実施形態では、押鍵の際に脱進開始位置に至るまでの鍵２の反力が、従来のアップライトピアノと比較して軽減されるので、離鍵状態からのタッチ感を軽くなるように改善することが可能となる。
なお、実際には、第１スプーン部３８ａ（第２スプーン部３８ｂ）の先端が面４８ａ（４８ｂ）に対して接触する点は、ダンパーレバー４２の回動に伴って移動するので、厳密にいえば摺動というべきであるが、その移動範囲については十分に小さいので、無視できるし、移動範囲の中心で論じれば足りる。
【００２５】
また、本実施形態においても、鍵２の反力は、押鍵過程において脱進開始位置になると増加し、ジャック２６が脱進すると鍵２の反力が一時的に低下し、その後、エンド位置まで急激に増加する。ここで、本実施形態において、ジャック２６の脱進に必要な反力の大きさについては、従来のアップライトピアノと同様である。ただし、本実施形態によれば押鍵過程において、止音位置よりも浅い押鍵の深さ位置から、すなわち第１スプーン部３８ａが面４８ａに接触する位置から、脱進開始位置まで、すなわち第２スプーン部３８ｂが面４８ｂに接触する位置までの鍵２の反力については、従来のアップライトピアノと比較して軽くなっている。このため、押鍵過程でみると、第１スプーン部３８ａによるダンパーレバー４２の回動からジャックの脱進に至る際に、鍵２の反力が従来例と比較して相対的に大きく変化することになる。このため、演奏者にとってみれば、ジャックが脱進する感覚（脱進感）が、鍵２を介し、強調されて伝達される結果、演奏時、特に連打時における鍵のコントロール性を高めることが可能となる。
【００２６】
なお、本発明は、上述した実施形態に限られず、次のような応用・変形が可能である。
例えば実施形態では、ダンパースプーン３８について、第１スプーン部３８ａと第２スプーン部３８ｂとを一体としたブロック形状としたが、図１０に示されるように、図１１に示した従来例に対して、第１スプーン部３８ａに相当する薄板３８ｃをウイペン２０の奥側端部に設けることによって、第２スプーン部とは別体とした構造としてもよい。
また、実施形態では、押鍵の際に脱進開始位置に至るまでの鍵２の反力を軽減するとともに、ジャックの脱進感を強調するために、ダンパースプーン３８を２つの凸面を有する形状としたが、押鍵初期時における反力を軽減するためだけであれば、ダンパーレバーの面４８ａ、４８ｂに連続性を持たせるとともに、ダンパースプーン３８について、押鍵当初においてダンパーレバーの下側に接触し、押鍵の進行とともにその接触部が上側に移動するような形状としてもよい。
【符号の説明】
【００２７】
１…アクション、２…鍵、１２ａ…ピン（第１支点）、１６ａ…ピン（第２支点）、２０…ウイペン、３８…ダンパースプーン、３８ａ…第１スプーン部、３８ｂ…第２スプーン部、４０…ダンパー、４２…ダンパーレバー、４４…ダンパーヘッド、４８ａ…面（第１部分）、４８ｂ…面（第２部分）、Ｓ…弦
【図１】
0005499743.tif 000002
【図２】
0005499743.tif 000003
【図３】
0005499743.tif 000004
【図４】
0005499743.tif 000005
【図５】
0005499743.tif 000006
【図６】
0005499743.tif 000007
【図７】
0005499743.tif 000008
【図８】
0005499743.tif 000009
【図９】
0005499743.tif 000010
【図１０】
0005499743.tif 000011
【図１１】
0005499743.tif 000012